(57)【要約】【課題】斜め方向からの視認性を向上させ、光源の交換作業が容易にでき、かつ、表示板の明るさが均一な安価な表示装置および誘導灯装置を提供する。【解決手段】表示装置１０１は、点灯装置を収納する本体１０と、表示する図柄を具備した湾曲面または多角形面を有する表示板２０と、表示板２０の凹面側を照射する光源３０とを具備する。表示装置４０１は、光源３４から入射した光を表示板２０の凹面側に出射する導光板５０を具備する。また、一対の表示板２０を略筒状に配置したり、表示板２０を略筒状に一体的に形成したりする。さらに、誘導灯に用いるシンボルを表示して誘導灯装置とする。【選択図】        図１
2004302028.tif 000002
【特許請求の範囲】
【請求項１】
点灯装置と、該点灯装置を収納する本体と、
表示する図柄を具備した湾曲面または多角形面を有する表示板と、
該表示板の凹面側に配置された光源と、
該光源の光を前記表示板の方向に反射する背面板とを具備したことを特徴とする表示装置。
【請求項２】
点灯装置と、該点灯装置を収納する本体と、
表示する図柄を具備した湾曲面または多角形面を有する前面側の表示板と、
表示する図柄を具備した湾曲面または多角形面を有する後面側の表示板と、
該前面側の表示板の凹面側に配置された前面側の光源と、
該後面側の表示板の凹面側に配置された後面側の光源と、
該前面側の光源の光を前面側の表示板の方向に反射する前面側の背面板と、
該後面側の光源の光を後面側の表示板の方向に反射する後面側の背面板とを具備したことを特徴とする表示装置。
【請求項３】
点灯装置と、該点灯装置を収納する本体と、
表示する図柄を具備した湾曲面または多角形面を有する前面側の表示板と、
表示する図柄を具備した湾曲面または多角形面を有する後面側の表示板と、
該前面側の表示板および後面側の表示板の両方の凹面側に配置された前後面共用の光源とを具備したことを特徴とする表示装置。
【請求項４】
点灯装置と、該点灯装置を収納する本体と、
表示する図柄を具備した湾曲面または多角形面を有する筒状の表示板と、
該表示板の筒状の内部に配置された光源とを具備したことを特徴とする表示装置。
【請求項５】
点灯装置と、該点灯装置を収納する本体と、
表示する図柄を具備した湾曲面または多角形面を有する表示板と、
該表示板の凹面側に配置された導光板と、
該導光板の端面に沿って配置された光源と、
前記導光板に導かれた光を前記表示板の方向に反射する背面板とを具備したことを特徴とする表示装置。
【請求項６】
点灯装置と、該点灯装置を収納する本体と、
表示する図柄を具備した湾曲面または多角形面を有する前面側の表示板と、
表示する図柄を具備した湾曲面または多角形面を有する後面側の表示板と
該前面側の表示板の凹面側に配置された前面側の導光板と、
該後面側の表示板の凹面側に配置された後面側の導光板と、
該前面側の導光板の端面に沿って配置された前面側の光源と、
該後面側の導光板の端面に沿って配置された後面側の光源と、
前記前面側の導光板に導かれた光を前面側の表示板の方向に反射する前面側の背面板と、
前記後面側の導光板に導かれた光を後面側の表示板の方向に反射する後面側の背面板とを具備したことを特徴とする表示装置。
【請求項７】
点灯装置と、該点灯装置を収納する本体と、
表示する図柄を具備した湾曲面または多角形面を有する前面側の表示板と、
表示する図柄を具備した湾曲面または多角形面を有する後面側の表示板と、
該前面側の表示板および後面側の表示板の両方の凹面側に配置された前後面共用の導光板と、
該導光板の端面に沿って配置された光源とを具備したことを特徴とする表示装置。
【請求項８】
点灯装置と、該点灯装置を収納する本体と、
表示する図柄を具備した湾曲面または多角形面を有する筒状の表示板と、
該表示板の筒状の内部に配置された導光板と、
該導光板の端面に沿って配置された光源とを具備したことを特徴とする表示装置。
【請求項９】
前記筒状の表示板が、略樽状、略鼓状、略球状、または複数の曲面ないし平面から構成された非対称形であることを特徴とする請求項４または８記載の表示装置。
【請求項１０】
前記導光板が、湾曲面または多角形面を有し、該湾曲した端面または多角形状の端面に沿って前記光源が配置されたことを特徴とする請求項５ないし７の何れかに記載の表示装置。
【請求項１１】
前記導光板が筒状であって、該筒状の端面に沿って前記光源が配置されたことを特徴とする請求項８記載の表示装置。
【請求項１２】
前記導光板が、前記表示板に対峙して当接または略平行に配置されたことを特徴とする請求項５ないし１１の何れかに記載の表示装置。
【請求項１３】
前記導光板の凹面側の凹部に、前面本体が配置されていることを特徴とする請求項１０記載の表示装置。
【請求項１４】
前記導光板の筒状の内部に、前面本体が配置されていることを特徴とする請求項１１記載の表示装置。
【請求項１５】
前記光源が、ＬＥＤ、無電極放電ランプ、冷陰極蛍光ランプ、直管蛍光ランプ、環形蛍光ランプ、電球の何れかであることを特徴とする請求項１ないし１４の何れかに記載の表示装置。
【請求項１６】
前記表示板が、可撓性を有することを特徴とする請求項１ないし１５の何れかに記載の表示装置。
【請求項１７】
請求項１ないし１６の何れかに記載の表示装置を有し、前記表示する図柄が誘導灯に用いるシンボルであることを特徴とする誘導灯装置。
【発明の詳細な説明】
【０００１】
【発明の属する技術分野】
本発明は表示装置、特に、図柄の表示手段を有する表示装置および誘導灯装置に関するものである。
【０００２】
【従来の技術】
従来の表示装置および誘導灯装置は、枠部を周囲に有し枠部の前面に開口部があり、内部に電気部品収納部が形成された器具本体と、器具本体の電気部品収納部に収納され光源を点灯させる点灯手段と、導光体と、導光体の少なくとも一辺に沿って光源を設けた表示手段とによって構成されている（例えば、特許文献１参照。）。
また、従来の誘導灯は、背板に突設したＶ字状の基板上で、一方の面には緑発光の発光ダイオード装置、他方の面には赤発光の発光ダイオード装置がそれぞれ設置されて、ケース内に収容されている（例えば、特許文献２参照。）。
さらに、従来の誘導灯は、導光板およびその端面近傍に配置した線光源（冷陰極管）からなるエッジライト形の面発光装置と、面発光装置の裏面に貼着されたシート状の電界発光体とによって構成されている（例えば、特許文献３参照。）。
【０００３】
【特許文献１】
特許第３２４６５５５号公報（第２−３頁、図１）
【特許文献２】
特開平６−４０２９号公報（第１−２頁、図１）
【特許文献３】
特開２００２−３４１７９８号公報（第３−４頁、図２）
【０００４】
【発明が解決しようとする課題】
しかしながら、従来の電気部品収納部を有する光表示装置および誘導灯は、表示手段を構成する表示板や導光板が平板であるため、斜め方向からの視認性が十分ではなかった。また、光源がリフレクタの内部に配設されているため、光源を交換する際、取り外しづらく手間がかかっていた。また、前面と背面とに表示手段および光源が必要なため、高価であって、その取り付けに手間がかかっていた。
また、従来の発光ダイオード装置を有する誘導灯は、基板やリード線が一体的に形成されているため、交換が困難であった。また、カバーは図柄を表示する表示板ではなかった。
さらに、従来の面発光装置を有する誘導灯は、電界発光体（ＥＬ）が貼着された導光板を湾曲（八つ橋状）した場合、該導光板の直線状の側端面に線光源を配置するため、光が湾曲した方向に進むことになって、その進行や反射が均一でなく、面発光装置の前面が均一の明るさにならなかった。また、線光源を導光板の両方の側端面に配置する必要があり高価になっていた。
【０００５】
本発明はこのような点に鑑みなされたものであり、斜め方向からの視認性を向上させ、光源の交換作業が容易にでき、且つ、表示板の明るさが均一な安価な表示装置および誘導灯装置を提供することを目的とする。
【０００６】
【課題を解決するための手段】
この発明に係る表示装置は、点灯装置と、該点灯装置を収納する本体と、表示する図柄を具備した湾曲面または多角形面を有する表示板と、該表示板の凹面側に配置された光源と、該光源の光を前記表示板の方向に反射する背面板とを具備したことを特徴とするものである。
また、前記表示板の凹面側に配置された導光板と、該導光板の端面に沿って配置された光源と、前記導光板に導かれた光を前記表示板の方向に反射する背面板とを具備したことを特徴とするものである。
さらに、この発明に係る表示装置は、誘導灯のシンボルが表示された前記表示装置を有するものである。
【０００７】
【発明の実施の形態】
以下、実施の形態１〜３に、光源から発する光を直接または背面板に反射させて間接的に表示板に照射する表示装置を示す。
実施の形態４〜１０に、光源から発する光を導光板によって導いた後、これを直接または背面板に反射させてから間接的に表示板に照射する表示装置を示す。
実施の形態１１に、誘導灯装置を示す。
【０００８】
［実施の形態１］
（内照・片面式の１）
図１は本発明に係る表示装置の実施の形態１の１を示す斜視図である。図１において、表示装置１０１は、図示しない建造物の天井または壁面に設置される機器本体１０（以下、本体と称す）と、本体１０の下面１３に設置された表示板２０、光源３０および背面板４０とを具備している。
（本体）
本体１０は、点灯装置を内部に配設した樹脂製または鋼板製の箱体である。図中、本体１０の上面１２が図示しない建造物の天井に、または本体１０の側面１４（後面）が図示しない建造物の壁面に設置されている。
【０００９】
（表示板）
表示板２０は断面円弧状（いわゆる、八つ橋形状）の透明または半透明の板体であって、ガラス、もしくは光透過性の良い樹脂たとえばアクリルやポリカーボネイト等の材質であり、透明に限らず、曇り、梨地、乳白色や所定の着色等の美的処理がされてもよい。
なお、後記するように形状は限定するものではなく、断面多角形状の溝形状、略樽形状や略鼓形状の一部、複数の曲面および平面によって形成された非対称の形状であってもよい。
表示板２０の円弧状の面２１の外面（凸面）または内面（凹面）に、たとえば、誘導灯のシンボル等の図柄が表示されている（以下、円弧状の面２１を表示面２１と称す）。なお、後記するように該図柄は誘導灯のシンボル等に限定するものではなく、所定の装飾図形を配したり装飾地（曇り、梨地等）にしたりしてもよい。
さらに、表示板２０を可撓性を有する材料によって形成しておけば、衝突の際の破損が防止され、且つ衝撃が緩和される。
【００１０】
（光源）
光源３０は、本体１０の下面１３に設置され下方に突出している。そして、光源３０の前面側に表示板２０が、後面側に背面板４０がそれぞれ配置されている。
光源３０は、ＬＥＤ、無電極放電ランプ、冷陰極蛍光ランプ、直管蛍光ランプ、環形蛍光ランプ、電球の何れであってもよく、表示装置１０１が設置される場所や目的等に応じて選定する設計的事項である。とくに、無電極放電ランプや冷陰極蛍光ランプにすれば、ＬＥＤと同様に長寿命であり、一方、直管蛍光ランプや環形蛍光ランプにすれば、市場での入手が容易であって安価である。
【００１１】
（背面板）
背面板４０は矩形板であって、光の拡散性があり反射率が高い白色系の反射面を有する。材質は鋼板もしくはＡＢＳやＡＳＡやＰＥＴ等の樹脂である。また、場合によっては鏡面や梨地正反射面でもよい。
背面板４０は本体１０の下面１３に設置され下方に突出し、湾曲した表示板２０の直線状の側縁部２４、２５がこれに当接している。したがって、表示板２０と背面板４０と本体１０の下面１３とによって底付きのコップ状の空間６１が形成されている。そして、コップ状空間６１の中に、光源３０が配置されている。
【００１２】
（効果）
したがって、光源３０から発した光は直接または背面板４０に反射して間接的に表示板２０に照射されるから、前記図柄が浮き上がるように示されることになる。
このとき、表示板２０が曲面もしくは多角形面になって突出しているため、平板の場合と比較して斜め方向からの表示面の見込み面積が大きくなり、また斜め方向の輝度も高まることから、表示面２１はいろいろな方向（角度）からの視認性が向上している。たとえば、表示装置１０１が建造物の天井壁寄りに設置された場合でも、遠く離れた壁寄り位置から表示された図柄等を視認することが可能になる。
【００１３】
なお、コップ状空間６１の下方（表示板２０の下端面２３と背面板４０の下端面４３とによって包囲された範囲に同じ）は開放され、下方に向けて光が漏れるようになっているから、ダウンライトとしても機能している。また、該開放部を経由して光源３０（本体１０から突出して空間６１内に配置されている）を直接取り扱うことができるから、光源３０の交換が容易である。
【００１４】
（内照・片面式の２）
図２は本発明に係る表示装置の実施の形態１の２を示す斜視図である。なお、図１と同じ部分にはこれと同じ符号を付し、一部の説明を省略する。
図２において、表示装置１０２は、図示しない建造物の壁面に設置される本体１０と、本体１０の前面１１に設置された背面板４０と、背面板４０の前面側に配置された湾曲した表示板２０と、背面板４０と表示板２０との間に設置された光源３０（背面板４０を介して本体１０に固定されている）とを具備している。表示板２０の側縁部２４、２５は背面板４０を介して本体１０に設置されている。
なお、表示板２０の側縁部２４、２５を本体１０の前面１１または脇面１５に直接設置して、側縁部２４と側縁部２５との間に背面板４０を配置してもよい。また、背面板４０と前面１１とを一体化して形成してもよい。
したがって、湾曲した表示板２０と背面板４０とによって筒状空間６２（底なしのコップ状の空間）が形成され、筒状空間６２の中に光源３０が配置されている。
【００１５】
また、筒状空間６２の上方（表示板２０の上端面２２と背面板４０の上端面４２とによって包囲された範囲に同じ）および下方（表示板２０の下端面２３と背面板４０の下端面４３とによって包囲された範囲に同じ）は開放され、上方および下方に向けて光が漏れるようになっている。よって、トップライトおよびダウンライトとしても機能し、また、該開放部を経由して空気の対流が生じて光源３０の熱は散逸される。
さらに、表示装置１０２は、表示板２０に表示された図柄が広い方向から視認できるという効果や、光源３０を容易に取り替えることができるという効果を、実施の形態１の１（図１）と同様に奏するものである。
なお、図に示すものは、本体１０の後面１４が図示しない建造物の壁面に設置されているが、本体１０の上面１２を図示しない建造物の天井に設置してもよい。このとき、本体１０を上方に延長して、表示板２０の上端面２２と建造物の天井との間に隙間を設けてもよい。
【００１６】
（表示板）
図３および図４は本発明に係る表示装置の実施の形態１の３を示す表示板の斜視図である。表示板２８は図１または図２における表示板２０に代わるものであって、断面多角形状の板材である。
すなわち、図３、４において、表示板２８、２９はそれぞれ断面コ字状または開口した断面コ字状であって、右側面２８ａ、２９ａと正面側面２８ｂ、２９ｂと右側面２８ｃ、２９ｃとを有している。なお、各側面同士が形成する折れ曲がり角度は限定するものではない。また、該折れ曲がり部は直線状の稜線を形成するものに限定するものではなく、所定の半径を有する角部（Ｒ形状部）であってもよい。
【００１７】
したがって、表示板２８、２９を設置した表示装置（たとえば、表示装置１０１または後記表示装置）は、左側面２８ａ、２９ａおよび右側面２８ｃ、２９ｃに表示された図柄が、左方向および右方向から視認できるという効果を奏するものである。
なお、本発明における表示板の形状は図１〜３に記載したものに限定するものではなく、たとえば、略Ｖ字状、略Ｕ字状、略球状、略樽状、略鼓状を半切したもの、曲面と平面を組み合わせたもの等、表示装置が設置される場所や設置の目的に応じて選定自在である。
また、表示板２８または２９自体の透明度（半透明の程度）や、暈かしや梨地等の曇りの程度、あるいは着色の濃さ等も同様に選定自在である。さらに、表示される図柄やその数量は適宜選定されるものである。
【００１８】
［実施の形態２］
（内照・両面・個別光源式の１）
図４は本発明に係る表示装置の実施の形態２の１を示す斜視図である。
図４において、表示装置２０１は、実施の形態１の１（図１）に示す表示装置１０１の表示板２０と、光源３０と、背面板４０とをそれぞれ一対用意して、それぞれの背面板４０の裏面同士（光源３０が配置される面の反対側の面）を近接または当接させたものである。したがって、実施の形態１の１（図１）と同じ部分にはこれと同じ符号の数字を付し、一方の面側（たとえば、前面側）には「ａ」を他方の面側（たとえば、後面側）には「ｂ」を添え、一部の説明を省略する。
【００１９】
よって、前面側の表示板２０ａおよび後面側の表示板２０ｂが略環状に配置されるため、いろいろな角度からの視認性が向上している。たとえば、表示装置２０１が建造物の廊下中央の天井に設置された場合でも、遠く離れた左右の何れの壁寄りの位置からも表示された図柄等を視認することが可能になる。また、実施の形態１の１（図１）と同様に、光源２０ａ、２０ｂを容易に取り替えることができるという効果を奏するものである。
なお、前面側の表示板２０ａの側縁部２４ａ、２５ａと、後面側の表示板２０ｂの側縁部２５ｂ、２４ｂとをそれぞれ近接または当接して、表示板２０ａと表示板２０ｂとによって断面環状の筒体を形成し、該筒体の内部に背面板４０ａ、４０ｂを配置してもよい。このとき、背面板４０ａ、４０ｂの脇面が露出しなくなる。なお、該筒体を一体的に形成してもよい。
【００２０】
（内照・両面・個別光源式の２）
図５は本発明に係る表示装置の実施の形態２の２を示す斜視図である。
図５において、表示装置２０２は、実施の形態１の２（図２）に示す表示装置１０２の本体１０の後面１４に、後面側の背面板４０ｂと、後面側の光源３０ｂと、後面側の表示板２０ｂとを設置したものである。なお、図２と同じ部分にはこれと同じ符号の数字を付し、前面側については「ａ」を添え、一部の説明を省略する。
【００２１】
よって、前面側の表示面２１ａおよび後面側の表示面２１ｂが本体１０を挟んで略環状に配置されるため、いろいろな角度からの視認性が向上している。たとえば、表示装置２０１が建造物の廊下中央の天井に設置された場合でも、遠く離れた左右の何れの壁寄りの位置からも表示された図柄等を視認することが可能になる。また、実施の形態１の２（図２）と同様に、光源２０ａ、２０ｂを容易に取り替えることができるという効果を奏するものである。
なお、前面側の表示板２０ａの側縁部２４ａ、２５ａを直接本体１０の前面１１または脇面１５に設置し、側縁部２４ａと側縁部２５ａとの間に前面側の背面板４０ａを配置してもよい。
また、前面側の背面板４０ａと前面１１とを一体化して形成してもよい。そして、後面側の背面板４０ｂと後面１４とを一体化して形成してもよい（すなわち、本体１０の前後面に反射面を配置してもよい）。
【００２２】
［実施の形態３］
（内照・全面・単一光源式）
図６は本発明に係る表示装置の実施の形態３を示す斜視図である。
図６において、表示装置３０１は、図示しない建造物の天井または壁面に設置される本体１０と、本体１０の下面１３に設置された筒状の表示板２６と、表示板２６の内部空間６３に配置された光源３０とを具備している。なお、実施の形態１と同じ部分にはこれと同じ符号を付し、一部の説明を省略する。
表示板２６は透明または半透明の筒体であって、円弧状の面（表示面に同じ）の外面（凸面）または内面（凹面）に、たとえば、誘導灯のシンボル等の図柄が表示されている。すなわち、光源３０の周囲が筒状の表示板２６によって包囲されているから、光源３０から発した光は直接表示板２６に照射されるため、光を反射するための背面板がなくても、前記図柄が浮き上がるように示されることになる。
【００２３】
このとき、表示板２０が筒状に形成されているため、いろいろな角度からの視認性が向上している。また、１つの光源で前方向を照射できるため、背面板が不要になって、部品点数が減少して安価に製造できる。そして、筒状の表示板２６の下方は開放され、下方に向けて光が漏れるようになっているから、ダウンライトとしても機能している。
さらに、該開放部を経由して光源３０（本体１０から突出している）を直接取り扱うことができるから、光源３０の交換が容易である。
なお、該筒状の断面形状は限定するものではなく、円形、楕円形、３角形や４角形、その他の多角形等、何れであってもよい。また、略樽状、略鼓状、あるいは複数の曲面および平面によって構成したものでもよい。
さらに、表示板２６は一体的に形成された筒状体に限定するものではなく、複数の短冊材（たとえば、断面円弧状板等）を寄せ集めて形成してもよい。また、表示する図柄のデザイン、数量および表示方向は限定するものではない。
【００２４】
［実施の形態４］
（板状導光板・片面式の１）
図７は本発明に係る表示装置の実施の形態４の１を示す斜視図である。
図７において、表示装置４０１は、図示しない建造物の天井または壁面に設置される本体１０と、本体１０の内部に設置された光源３４と、本体１０の下面１３に設置された表示板２０と、表示板２０に対峙して本体１０の下面１３に設置された導光板５０とを具備している。なお、実施の形態１の１（図１）と同じ部分にはこれと同じ符号を付し、一部の説明を省略する。
【００２５】
（板状導光板）
導光板５０は矩形平板からなり、本体１０の下面１３に設置されている。そして、導光板５０の上端面５２に対峙して直線状の光源３４が配置されている。また、光源３４はリフレクタ３５と上端面５２とに挟まれた状態にあり、光源３４から発した光は直接またはリフレクタ３５で反射して間接的に導光板５０に入射する。
このとき、表示板２０が湾曲しているにもかかわらず、導光板５０は平板状であるから、導光板５０内で入射した光は均一に導かれるため、表示板２０の明るさにムラが生じることがない。なお、表示板２０の必要な方向について表示輝度を高めたい場合、表示板２０と導光板５０との間に拡散シートまたはプリズムシート等の光学シートを配置してもよい。
また、光源３４は直線状の上端面５２に沿って配置されるため、光源３４を直線状に形成することができから、安価で効率の良い光源３４を用いることが可能になる。
【００２６】
（背面板）
さらに、背面板４０が、導光板５０の後面側に当接または隙間を介して対峙しているから、導光板５０に導かれた光の内で後面に出射したものは背面板４０によって反射され、導光板５０に入射した後、前面側に出射されることなる。
なお、表示板２０の必要な方向について表示輝度を高めたい場合、背面板４０を所定の断面円弧状に形成してもよい。また、背面板４０と導光板５０とを一体的に形成してもよい。
【００２７】
（表示板）
よって、導光板５０の前面側に断面円弧状（いわゆる、八つ橋形状）の透明または半透明の表示板２０が配置されているから、導光板５０に入射した光は直接または間接的に表示板２０に照射され、表示板２０に表示された図柄が浮き上がるように示されることになる。よって表示装置４０１は、実施の形態１の１（図１）と同様に良好な視認性を奏するものである。
なお、導光板５０と表示板２０と本体１０の下面１３とによって底付きコップ状の空間６４が形成され、空間６４の下方（表示板２０の下端面２３と導光板５０の下端面５３とによって包囲された範囲に同じ）は開放され、下方に向けて光が漏れるようになっているから、ダウンライトとしても機能している。
【００２８】
（光源）
また、光源３３は、ＬＥＤ、無電極放電ランプ、冷陰極蛍光ランプ、直管蛍光ランプ、電球の何れかであってもよく、表示装置４０１が設置される場所や目的等に応じて選定される設計的事項である。とくに、無電極放電ランプや冷陰極蛍光ランプにすれば、ＬＥＤと同様に長寿命であり、また、直管蛍光ランプにすれば、市場における入手が容易であって安価である。
【００２９】
（板状導光板・片面式の２）
図８は本発明に係る表示装置の実施の形態４の２を示す斜視図である。
図８において、表示装置４０２は、図示しない建造物の天井または壁面に設置される本体１０と、本体１０の前面１１に直接または所定の間隔を設けて設置された背面板４０と、背面板４０に直接または所定の間隔を設けて設置された導光板５０と、導光板５０に対峙して配置された表示板２０と、導光板５０の上端面５２に沿って本体１０の前面１１に設置された光源３４（リフレクタ３５を有している）とを具備している。なお、図７と同じ部分にはこれと同じ符号を付し、一部の説明を省略する。
【００３０】
すなわち、湾曲した表示板２０の直線状の側縁部２４、２５が導光板５０および背面板４０を介して側面１３に設置され、導光板５０と表示板２０とによって筒状（底なしのコップ状）の空間６４が形成されている。
そして、筒状空間６４の上方（表示板２０の上端面２２と導光板５０の上端面５２とによって包囲された範囲に同じ）および下方（表示板２０の下端面２３と導光板５０の下端面５３とによって包囲された範囲に同じ）は開放され、上方および下方に向けて光が漏れるようになっているから、トップライトおよびダウンライトとしても機能する。
【００３１】
さらに、筒状空間６４が煙突効果を発揮して上下の開放部を経由して空気の対流が生じるから、光源３０の熱は散逸される。また、光源３４が本体１０の前面１１から突出して設置されているため、直接取り扱うことができ容易に交換することが可能になる。
なお、表示装置４０２の表示板２０、導光板５０、背面板４０、光源３４、あるいは光学シート等の配置形態は実施の形態４の１（図７）に示す表示装置４０１に準じるため、表示装置４０１と同様の作用・効果を奏する。
【００３２】
［実施の形態５］
（板状導光板・両面式の１）
図９は本発明に係る表示装置の実施の形態５の１を示す斜視図である。
図９において、表示装置５０１は、実施の形態４の１（図７）に示す表示装置４０１の表示板２０を一対用意して、これらを導光板５０の両面に近接または当接させたものである。なお、実施の形態４の１（図７）と同じ部分にはこれと同じ符号の数字を付し、一方の面側（たとえば、前面側）には「ａ」を他方の面側（たとえば、後面側）には「ｂ」を添付し、一部の説明を省略する。
すなわち、光源３４はリフレクタ３５と導光板５０の上端面５２とに挟まれた状態にあるから、光源３４から発した光は直接またはリフレクタ３５に反射して間接的に導光板５０に入射し、該入射した光は導光板５０の両方の面から前面側および後面側の双方に出射することなる。
よって、導光板５０を両方から挟み付けるように配置されている表示板２０ａ、２０ｂに光源３４から発した光が入射し、表示板２０ａ、２０ｂに表示された図柄が浮き上がるように示されることになる。  つまり、  導光板５０の両側にそれぞれ表示板２０ａ、２０ｂが配置されているから、背面板を設置する必要がない。
【００３３】
よって、前面側の表示板２０ａおよび後面側の表示板２０ｂが略環状に配置されるため、いろいろな角度からの視認性が向上している。たとえば、表示装置５０１が建造物の廊下中央の天井に設置された場合でも、遠く離れた左右の何れの壁寄りの位置からも表示された図柄等を視認することが可能になる。
なお、表示装置５０１の表示板２０ａ、２０ｂ、導光板５０、光源３４、あるいは光学シート等の配置形態は実施の形態４の１（図７）に示す表示装置４０１に準じるため、表示装置４０１と同様の作用・効果を奏する。
【００３４】
（板状導光板・両面式の２）
図１０は本発明に係る表示装置の実施の形態５の２を示す斜視図である。図１０（天井に設置されたもの）において、表示装置５０２は、実施の形態４の２（図８）に示す表示装置４０２の本体１０の後面１４に、前面１１と同様の後面側の背面板４０ｂと、後面側の導光板５０ｂと、後面側の光源３４ｂとをそれぞれ設置したものである。なお、図８と同じ部分にはこれと同じ符号の数字を付し、前面側については「ａ」を添え、後面側については「ｂ」を添え、一部の説明を省略する。
よって、前面側の表示面２１ａおよび後面側の表示面２１ｂが本体１０を挟んで略環状に配置されているため、いろいろな角度からの視認性が向上する。たとえば、表示装置５０２が建造物の廊下中央の天井に設置された場合でも、遠く離れた左右の何れの壁寄りの位置からも表示された図柄等を視認することが可能になる。
なお、表示装置５０２の表示板２０ａ、導光板５０ａ、背面板４０ａ、光源３４ａ、あるいは光学シート等の配置形態、および表示板２０ｂ、導光板５０ｂ、背面板４０ｂ、光源３４ｂ、あるいは光学シート等の配置形態は実施の形態４の１（図７）に示す表示装置４０１に準じるため、表示装置４０１と同様の作用・効果を奏する。
【００３５】
［実施の形態６］
（板状導光板・全面式）
図１１は本発明に係る表示装置の実施の形態６を示す斜視図である。
図１１において、表示装置６０１は、実施の形態５の１（図９）に示す表示装置５０１の表示板２０ａ、２０ｂを一体的に形成して筒状の表示板２６にし、その内部空間６６に導光板５０を配置したものである。なお、図９と同じ部分にはこれと同じ符号を付し、一部の説明を省略する。
すなわち、表示板２６が環状（断面円形、楕円形、矩形、多角形等）であるため、導光板５０の脇面が露出しないから意匠性が向上するとともに、表示装置５０１と同様の作用・効果を奏する（表示装置４０１とも同様の作用・効果を奏する）。
【００３６】
［実施の形態７］
（円弧状導光板・片面式の１）
図１２は本発明に係る表示装置の実施の形態７の１を示す斜視図である。図１２において、表示装置７０１は、実施の形態４の１（図７）に示す表示装置４０１において、導光板５０および背面板４０を、表示板２０に準じて湾曲形状に形成したものである。なお、実施の形態４の１（図７）と同じ部分にはこれと同じ符号を付し、一部の説明を省略する。
【００３７】
（円弧状導光板）
導光板５７は表示板２０と略同一形状である断面円弧状（いわゆる、八つ橋状）に形成され、表示板２０の凹面（後面）に当接または所定の間隔を介して配置されている。
また、背面板４７は導光板５７と略同一形状である断面円弧状に形成され、導光板５７の凹面（後面）に当接または所定の間隔を介して配置されている。
さらに、光源３７は、導光板５７の上端面（図示しない）に沿って円弧状に形成され、本体１０の内部に設置されている。また、光源３７に沿ってリフレクタ３８（図示しない）が配置されている。
【００３８】
このとき、光源３７から発した光は直接またはリフレクタ３８に反射して間接的に導光板５７に入射し、円弧状の上端面から主に鉛直下方に向かって散乱しながら進むことになる。このため、光源３７を導光板５７の直線状の側縁部５８、５９に設置した場合のように、側縁部５８、５９から発した光が円弧方向に向かって散乱しながら進むことようなことがないから、表示板の明るさが不均一になることがない。
なお、表示板２０の必要な方向について表示輝度を高めたい場合、表示板２０と導光板５７との間の必要な方向に拡散シートまたはプリズムシート等の光学シートを配置してもよい。また、表示板２０、導光板５７および背面板４７のそれぞれの曲率半径を調整（含む、複数の円弧によって形成）して、所定の表示輝度分布を付与してもよい。
【００３９】
よって、表示装置７０１は、実施の形態４の１（図７）に示す表示装置４０１と同様の良好な視認性を奏する。
さらに、背面板４７と導光板５７とを、導光板５７と表示板２０とを、あるいは、背面板４７と導光板５７と表示板２０とを、それぞれ一体的に形成すれば、部品点数が減少し、製作の迅速化や製品コストの低減を図ることができる。
なお、光源３７は限定するものではないが、たとえば、ＬＥＤを使用する場合は、所定形状の基板上に複数のＬＥＤを配置することが容易であるから、導光板５７の形状（たとえば、曲率変形の変更等）への対応が容易になる。
【００４０】
（円弧状導光板・片面式の２）
図１３は本発明に係る表示装置の実施の形態７の２を示す斜視図である。
図１３の（ａ）において、本体７０は実施の形態７の１（図１２）における本体１０を湾曲した背面板４７の後面側に配置したものである。
すなわち、本体７０の前面は湾曲した凸面（以下、側面７１と称す）に形成され、側面７１に背面板４７が当接また所定の間隔を設けて設置されている。なお、背面板４７と側面７１とを一体的に形成してもよい。
よって、本体７０が背面板４７の後面側に収容されるため、本体を図示しない建造物の壁面に配置した場合でも、本体７０の脇面の露出面積を狭くすることができる。
また、表示装置７０２の表示板２０、導光板５７、背面板４７、光源３７、あるいは光学シート等の配置形態は実施の形態７の１（図１２）に示す表示装置７０１に準じるため、表示装置７０１と同様の作用・効果を奏する（表示装置４０１と同様の良好な視認性をも奏する）。
【００４１】
（円弧状導光板・片面式の３）
図１３の（ｂ）において、表示装置７０３は、図１３の（ａ）に示す表示装置７０２における本体７０を背面板４７の後面内に完全に収容したものである。なお、図１３の（ａ）と同じ部分にはこれと同じ符号を付し、一部の説明を省略する。
すなわち、本体８０は  背面板４７の後面内に完全に収容自在なように小型化され、表示板２０によって覆われている。したがって、表示装置７０３を図示しない壁面に取り付けた際、表示板２０の側縁部２４、２５は該壁面に当接または所定の間隔を設けて対峙するから、本体８０が露出することがなく、意匠性が向上する。
よって、表示装置７０３は表示装置７０２（実施の形態７の２（図１３））と同様の作用・効果を奏する（表示装置４０１と同様の良好な視認性をも奏する）。
【００４２】
［実施の形態８］
（円弧状導光板・両面式の１）
図１４は本発明に係る表示装置の実施の形態８を示す斜視図である。
図１４の（ａ）において、表示装置８０１は、実施の形態７の１（図１２、天井に設置されたもの）に示す一対の表示装置７０１を、背面板４７の凹面（後面）を互いに突き合わせるように配置し、それぞれの本体１０を共通にしたものである。なお、実施の形態７の１（図１２）と同じ部分にはこれと同じ符号の数字を付し、前面側には「ａ］を後面側には「ｂ］を添え、一部の説明を省略する。なお、本体１０に収容される光源３７ａと光源３７ｂを一体化して、図示しない環状の光源にしてもよい。
よって、前面側の表示板２０ａと後面側の表示板２０ｂとがそれぞれ背中合わせに配置され、略環状を形成するため、いろいろな角度からの視認性が向上している。たとえば、表示装置８０１が建造物の廊下中央の天井に設置された場合でも、遠く離れた左右の何れの壁寄りの位置からも表示された図柄等を視認することが可能になる。
【００４３】
（円弧状導光板・両面式の２）
図１４の（ｂ）において、表示装置８０２は、表示装置８０１（図１４の（ａ））における前面側の背面板４７ａおよび後面側の背面板４７ｂをそれぞれ撤去したものである。なお、図１４の（ａ）と同じ部分にはこれと同じ符号を付し、前面側には「ａ］を後面側には「ｂ］を添え、一部の説明を省略する。
すなわち、前面側の導光板５７ａ内に導かれた光は、前面側の導光板５７ａの両面から出射するため、前面側に出射した光は前面側の表示板２０ａに入射し、一方、後面側に出射した光は後面側の導光板５７ｂを透過して後面側の表示板２０ｂに入射する。また、後面側の導光板５７ｂ内に導かれた光についても同様である。
よって、前面側の背面板４７ａおよび後面側の背面板４７ｂを撤去しても、表示装置８０１と同様の作用・効果を奏する。
このとき、部品点数が減少するから製作コストの低減が図られる。また、内部空間６８の下方（導光板５６の下端面５９によって包囲された範囲に同じ）は開放され、下方に向けて光が漏れるようになっているから、ダウンライトとしても機能する。
なお、表示板２０ａ、２０ｂの必要な方向について表示輝度を高めたい場合、導光板５７ａ、５７ｂの外周側または内周側の一方または両方に拡散シートまたはプリズムシート等の光学シートを配置してもよい。
【００４４】
［実施の形態９］
（筒状導光板・全面式の１）
図１５は本発明に係る表示装置の実施の形態９を示す斜視図である。
図１５の（ａ）において、表示装置９０１は、実施の形態８の１（図１４の（ａ））に示す表示装置８０１の前面側の表示板２０ａと後面側の表示板２０ｂとを一体的に形成して筒状の表示板２６とし、同様に、前面側の導光板５７ａと後面側の導光板５７ｂとを一体的に形成して筒状の導光板５９とし、前面側の背面板４７ａと後面側の背面板４７ｂとを一体的に形成して筒状の背面板４９とし、光源３７ａと光源３７ｂとを一体化して環状の光源３９としたものである。なお、本体１０は図１４に示す本体１０に同じである。
【００４５】
よって、部品点数が減少して製造コストの低減を図ることが可能になる。なお、筒状の表示板２６と導光板５９と背面板４９とは、互いに当接しても所定の間隔を設けて対峙してもよい。また、当接する２または３の筒状体を一体化して形成すれば、部品点数がさらに減少する。
また、表示板２６が繋ぎ目のない曲面を具備するから、実施の形態８の１（図１４）に示す表示装置８０１と同様の作用・効果を奏するとともに、何れの方向にでも図柄を表示することができるから意匠性が向上する。
なお、表示板２６の必要な方向について表示輝度を高めたい場合、表示板２６と導光板５９との間に拡散シートまたはプリズムシート等の光学シートを配置してもよいし、表示板２６と導光板５９と背面板４９のそれぞれの楕円度を調整（含む、複数の円弧面によって形成）してもよい。
【００４６】
（筒状導光板・全面式の２）
図１５の（ｂ）において、表示装置９０２は、表示装置９０２（図１５の（ａ））における筒状の背面板４９を撤去したものである。なお、図１５の（ａ）と同じ部分にはこれと同じ符号を付し、一部の説明を省略する。
すなわち、実施の形態８の２（図１４の（ｂ））に示す表示装置８０２と同様に、背面板４９を撤去しても、表示装置９０１（図１５の（ａ））と同様の作用・効果を奏する。よって、部品点数が減少するから、製造コストの低減化を図ることができる。
なお、内部空間６９の下方（導光板５９の下端面によって包囲された範囲に同じ）は開放され、下方に向けて光が漏れるようになっているから、ダウンライトとしても機能する。
【００４７】
［実施の形態１０］
図１６および図１７は本発明に係る表示装置の実施の形態１０を示す斜視図である。
（円弧状導光板・両面式の２）
図１６の（ａ）において、表示装置１００１は、実施の形態７の１（図１３の（ａ））に示す一対の表示装置７０２（天井に設置されたもの）を、本体１０を背中合わせに突き合わせ、それぞれの本体１０を一体化し、これを本体９０としたものである。なお、図１３の（ａ）と同じ部分にはこれと同じ符号の数字を付し、前面側には「ａ］を後面側には「ｂ］を添え、一部の説明を省略する。
【００４８】
すなわち、本体９０は、前面側および後面側にそれぞれ断面円弧状の側面９１ａおよび９１ｂとを有している。そして、前面側の表示板２０ａと、前面側の導光板５７ａと、前面側の背面板４７ａとが、積層するように本体９０の前面側の側面９１ａに設置されている。また、同様に、後面側の表示板２０ｂと、後面側の導光板５７ｂと、後面側の背面板４７ｂとが、積層するように本体９０の後面側の側面９１ｂに設置されている。
【００４９】
さらに、光源３７ａ、３７ｂ（図示しない）は、導光板５７ａ、５７ｂの上端面に沿ってそれぞれ円弧状に形成されて、本体９０の側面９１ａ、９１ｂにそれぞれ設置されている。なお、光源３７ａと光源３７ｂとを一体化して環状に形成してもよい。
なお、表示板２０ａ、２０ｂと導光板５７ａ、５７ｂと背面板４７ａ、４７ｂと側面９１ａ、９１ｂとの、それぞれの配置要領は実施の形態７の２（図１３）に準じ、光源３７ａ、３７ｂから発せられた光が表示板２６ａ、２６ｂを照射する要領は実施の形態８の１（図１４）に同じであるため、説明を省略する。
よって、表示装置１００１は、前面側の表示板２０ａおよび後面側の表示板２０ｂが略環状に配置されるため、表示装置７０２（図１３の（ａ））と同様の作用、効果を奏するとともに、いろいろな角度からの視認性が向上している。
【００５０】
（円弧状導光板・両面式の３）
図１６の（ｂ）において、表示装置１００２は、図１６の（ａ）に示す表示装置１００１の前面側の表示面２０ａの直線状の側縁部２４ａ、２５ａと後面側の表示面２０ｂの直線状の側縁部２５ｂ、２４ｂとを互いに突き合わせ、本体９０を前面側の表示板２０ａと後面側の表示板２０ｂとによって包囲したものである。なお、図１６の（ａ）と同じ部分にはこれと同じ符号を添え、一部の説明を省略する。
よって、本体９０が露出することがないため、意匠性が向上する。
【００５１】
（円筒状導光板・全面式の２）
図１７において、表示装置１００３は、表示装置１００２（図１６の（ｂ））の前面側の表示板２０ａおよび後面側の表示板２０ｂとを一体的に形成して筒状の表示板２６とし、同様に、前面側の導光板５７ａと後面側の導光板５７ｂとを一体的に形成して筒状の導光板５９とし、前面側の背面板４７ａと後面側の背面板４７ｂとを一体的に形成して筒状の背面板４９とし、光源３７ａと光源３７ｂとを一体化して環状の光源３９とし、筒状の背面板４９の内部に本体９０を収容したものである。
また、実施の形態９の１（図１５の（ａ））に示す表示装置９０１の筒状の背面板４９の内部に本体９０を収容したものに同じである。したがって、図１６の（ａ）および図１５の（ａ）と同じ部分にはこれと同じ符号を付し、一部の説明を省略する。
よって、表示装置１００２は、表示板２６が繋ぎ目のない曲面を具備するから、表示装置１００２と同様の作用・効果を奏するとともに、何れの方向にでも図柄を表示することができるから意匠性が向上する。
【００５２】
［実施の形態１１］
（誘導灯装置）
図１８および図１９は本発明に係る誘導灯装置の実施の形態の一部を示す斜視図である。
図１８は、片面式または両面式の前記表示装置を誘導灯装置として使用した際の、表示板２０の一例を示している。表示板２０には、図柄として誘導灯のシンボル１が表示されている。なお、該図柄の数量は１つに限定するものではなく、表示板２０の直線状の側端部２４、２５のそれぞれに近接して合計２つの図柄を表示してもよい。このとき、２方向から図柄を視認することができる。
また、表示板２０の形状は断面円弧状に限定するものではなく、いずれの形状であってもよい（図３参照）。
さらに、光源３７は円弧状板からなる基板３７ｂと、基板３７ｂに設置された複数個のＬＥＤ３７ａからなっている。したがって、前記のように、光源３７の形状を導光板５７の上端面の形状と同一にすることが容易である。
よって、多方向からの視認性が良好な誘導灯装置が提供されることになる。
【００５３】
図１９は、全面式の表示装置を誘導灯装置として使用した際の、表示板２６の一例を示している。筒状の表示板２６には、誘導灯に用いるシンボル１が表示されている。なお、該図柄の数量は１つに限定するものではなく、表示板２６の周方向に複数の図柄を表示してもよい。このとき、それぞれの方向から図柄を視認することができる。また、表示板２６の形状は断面楕円状に限定するものではなく、円形、多角形等いずれの形状であってもよい。
さらに、光源３９は円環状板からなる基板３９ｂと、基板３９ｂに設置された複数個のＬＥＤ３９ａからなっている。したがって、前記のように、光源３９の形状を導光板５９の上端面の形状と同一にすることが容易である。
よって、多方向からの視認性が良好な誘導灯装置が提供されることになる。
【００５４】
（誘導灯のシンボル）
図２０は本発明に係る誘導灯装置に表示されるシンボルの実施例の一部を示す斜視図である。図２０の（ａ）において、図柄２は避難口誘導灯に表示されるシンボルであって、人が走っている姿がデザインされている。図２０の（ｂ）において、図柄３は通路誘導灯に表示されるシンボルであって、矢印が大きく示されている。図２０の（ｃ）において、図柄４は通路誘導灯に表示されるシンボルであって、矢印と人が走っている姿が合わせて示されている。
【００５５】
【発明の効果】
以上のようにこの発明によれば、表示する図柄を具備した湾曲面または多角形面を有する表示板と、該表示板の凹面側に配置された光源または該表示板の凹面に光を出射する導光板とを具備しているから、斜め方向からの視認性が向上し、光源の交換作業が容易にでき、且つ、表示板の明るさが均一な安価な表示装置および誘導灯装置が得られる。
【図面の簡単な説明】
【図１】表示装置の実施の形態１の１（内照・片面式の１）を示す斜視図。
【図２】表示装置の実施の形態１の２（内照・片面式の２）を示す斜視図。
【図３】表示装置の実施の形態１の３を示す表示板の斜視図である。
【図４】実施の形態２の１（内照・両面・個別光源式の１）を示す斜視図。
【図５】実施の形態２の２（内照・両面・個別光源式の２）を示す斜視図。
【図６】実施の形態３（内照・全面・単一光源式）を示す斜視図。
【図７】実施の形態４の１（板状導光板・片面式の１）を示す斜視図。
【図８】実施の形態４の２（板状導光板・片面式の２）を示す斜視図。
【図９】実施の形態５の１（板状導光板・両面式の１）を示す斜視図。
【図１０】実施の形態５の２（板状導光板・両面式の２）を示す斜視図。
【図１１】実施の形態６（板状導光板・全面式）を示す斜視図。
【図１２】実施の形態７の１（円弧状導光板・片面式の１）を示す斜視図。
【図１３】実施の形態７の２（円弧状導光板・片面式の２）を示す斜視図。
【図１４】実施の形態８（円弧状導光板・両面式の１）を示す斜視図。
【図１５】実施の形態９（筒状導光板・全面式の１）を示す斜視図。
【図１６】実施の形態１０（円弧状導光板・両面式の２）を示す斜視図。
【図１７】実施の形態１０（円筒状導光板・全面式の２）を示す斜視図。
【図１８】誘導灯装置の実施の形態の一部を示す斜視図。
【図１９】誘導灯装置の実施の形態の一部を示す斜視図。
【図２０】誘導灯装置に表示されるシンボルの実施例を示す斜視図。
【符号の説明】
１  シンボル、１０  本体、２０  表示板（円弧状）、２６  表示板（筒状）、３０  光源、３４  光源（直線状）、３７  光源（円弧状）、３９  光源（円環状）、４０  背面板（平板状）、４７  背面板（断面円弧状）、３９  背面板（筒状）、５０  導光板（平板状）、５７  導光板（断面円弧状）、５９  導光板（筒状）、７０  本体、８０  本体、９０  本体。
【図１】
2004302028.tif 000003
【図２】
2004302028.tif 000004
【図３】
2004302028.tif 000005
【図４】
2004302028.tif 000006
【図５】
2004302028.tif 000007
【図６】
2004302028.tif 000008
【図７】
2004302028.tif 000009
【図８】
2004302028.tif 000010
【図９】
2004302028.tif 000011
【図１０】
2004302028.tif 000012
【図１１】
2004302028.tif 000013
【図１２】
2004302028.tif 000014
【図１３】
2004302028.tif 000015
【図１４】
2004302028.tif 000016
【図１５】
2004302028.tif 000017
【図１６】
2004302028.tif 000018
【図１７】
2004302028.tif 000019
【図１８】
2004302028.tif 000020
【図１９】
2004302028.tif 000021
【図２０】
2004302028.tif 000022